(57)【要約】【課題】段ボールを使用して包装する際にも十分な強度を維持できる機器の包装装置を提供する。【解決手段】包装装置１は、クーラー１１が載置される段ボール製の底面部材２と、この底面部材２上に載置された状態におけるクーラー１１を上から覆う段ボール製の天面部材３と、クーラーの両側にそれぞれ位置して底面部材２と天面部材３間に介設された強化段ボール製の側面部材４、６と、クーラーの前後で相互に対応する位置において底面部材２と天面部材３間に介設された強化段ボール製の支柱部材７と、この支柱部材７に対応した位置にて底面部材２と天面部材３とを結束する結束バンド８とを備える。【選択図】      図１
2004256129.tif 000002
【特許請求の範囲】
【請求項１】
機器が載置される段ボール製の底面部材と、該底面部材上に載置された状態における前記機器を上から覆う段ボール製の天面部材と、前記機器の両側にそれぞれ位置して前記底面部材と天面部材間に介設された強化段ボール製の側面部材と、前記機器の前後で相互に対応する位置において前記底面部材と天面部材間に介設された強化段ボール製の支柱部材と、該支柱部材に対応した位置にて前記底面部材と天面部材とを結束する結束バンドとを備えて構成されたことを特徴とする機器の包装装置。
【請求項２】
前記支柱部材は、ライナー方向が上下とされていることを特徴とする請求項１の機器の包装装置。
【請求項３】
前記底面部材と天面部材のうちの何れか一方において、前記支柱部材の両側に対応する位置に設けられた位置決め部と、
他方において当該支柱部材の一側に対応する位置に設けられたストッパー部とを備えたことを特徴とする請求項１又は請求項２の機器の包装装置。
【発明の詳細な説明】
【０００１】
【発明の属する技術分野】
本発明は、例えばプレハブ冷蔵庫や冷蔵倉庫などに天吊りされるクーラーなどの比較的強度の低い機器を包装するのに好適な包装装置に関するものである。
【０００２】
【従来の技術】
従来より業冷庫や低温ショーケースなどの機器を包装する場合、通常は発泡スチロールや木材を使用する方法が取られていたが、近年の環境保護の関心の高まりから、係る包装材料の廃棄が問題となっている。そこで、近年では包装材料の殆どを再利用が容易な段ボールとすることで対処する方法が考えられている（例えば、特許文献１参照）。
【０００３】
【特許文献１】
特開２００２−３３７９４３号公報
【０００４】
【発明が解決しようとする課題】
しかしながら、例えばプレハブ冷蔵庫や冷蔵倉庫などの冷却用に使用されるクーラーは、天井に吊り下げられて用いられるものであり、前述した業冷庫や低温ショーケースのような発泡断熱材から成る構造体を備えていないため、それ自体の強度が比較的低い。
【０００５】
一方で、クーラーを設置するまで保管する倉庫では、包装された状態で複数段積まれて保管されるため、前述した公報の如き段ボールによる包装では荷重によりクーラーが破損してしまう問題があった。
【０００６】
本発明は、係る従来の技術的課題を解決するために成されたものであり、段ボールを使用して包装する際にも十分な強度を維持できる機器の包装装置を提供するものである。
【０００７】
【課題を解決するための手段】
本発明の機器の包装装置は、機器が載置される段ボール製の底面部材と、この底面部材上に載置された状態における機器を上から覆う段ボール製の天面部材と、機器の両側にそれぞれ位置して底面部材と天面部材間に介設された強化段ボール製の側面部材と、機器の前後で相互に対応する位置において底面部材と天面部材間に介設された強化段ボール製の支柱部材と、この支柱部材に対応した位置にて底面部材と天面部材とを結束する結束バンドとを備えて構成されているので、機器の両側及び前後に位置する強化段ボール製の側面部材及び支柱部材にて機器に上から加わる圧縮荷重を支えることが可能となる。
【０００８】
これにより、強度の低い機器を梱包状態で段積みする場合にも、機器に損傷が生じる危険性を回避することができる。また、結束バンドは支柱部材に対応しているので、結束後に緩み難くなる。そして、結束バンド以外の各部材を全て段ボール製とすることができるので、再利用が容易であり、環境問題も解消できる。
【０００９】
また、請求項２の発明の機器の包装装置は、上記に加えて支柱部材を、ライナー方向が上下となるようにしているので、上下方向に加わる圧縮荷重を支柱部材により効果的に支えることができるようになる。
【００１０】
更に、請求項３の発明の機器の包装装置は、上記各発明に加えて底面部材と天面部材のうちの何れか一方において、支柱部材の両側に対応する位置に設けられた位置決め部と、他方において当該支柱部材の一側に対応する位置に設けられたストッパー部とを備えているので、支柱部材を位置決め部とストッパー部とで保持することができるようになり、万一結束バンドが緩んだ場合にもズレ難くなる。また、天面部材を設けた後に支柱部材を取り付ける場合にも、一端を位置決め部間に挿入し、他端を回動してストッパー部に当接させることで所定位置に配置することができ、包装作業性も良好となる。
【００１１】
【発明の実施の形態】
以下、図面に基づき本発明の包装装置の一実施形態について詳述する。図１は本発明の実施例の包装装置１により機器の例であるクーラーを包装した状態の斜視図、図２は図１の分解斜視図、図３は図１の縦断面図をそれぞれ示している。実施例の包装装置１は、段ボール製の底面部材２と、段ボール製の天面部材３と、強化段ボール製の側面部材４、６と、強化段ボール製の支柱部材７・・及び結束バンド（ＰＰバンド）８・・などから構成される。
【００１２】
尚、上記側面部材４、６及び支柱部材７を構成する強化段ボールとしては、例えば王子製紙（株）製ＨＩＰＬＥＡＣＥ（商品名）などがある（以下、同じ。）また、包装する対象機器の実施例であるクーラー１１は、プレハブ冷蔵庫や冷蔵倉庫などに使用される天吊り式のクーラー（クーリングコイル）であり、プレハブ冷蔵庫などの天井に取り付けるためのアングル１２と、このアングル１２に取り付けられた蒸発器１３や送風機１４・・と、この送風機１４・・に対応する位置の前面に取り付けられたガード１６・・と、底面のドレンパン１７と周囲のケーシング１８などから横長矩形状に構成されている。
【００１３】
このクーラー１１は天吊り状態で使用されるため、アングル１２には所定の強度が確保されているものの、ケーシング１８はドレンパン１７は薄肉の鋼板や樹脂板が用いられる。従って、上下方向の圧縮荷重には極めて弱い構造とされている（図３）。尚、クーラー１１は図３に示すように上下逆（ドレンパン１７が上）とした状態で包装される。
【００１４】
一方、包装装置１の底面部材２は上記クーラー１１が載置可能な寸法の横長矩形状に形成され、周囲に立ち上がるフランジ２Ａを有している。また、底面部材２の下面には所定間隔を存してゲタ材２１・・・が取り付けられ、各ゲタ材２１・・・の下面に渡って底面部材２と同様の平面積を有する段ボール製の底板２２が取り付けられている。尚、ゲタ材２１は段ボールを複数枚接着して構成されており、係るゲタ材２１・・が構成する底面部材２と底板２２の間隔内にフォークリフトのフォークを挿入可能とされている。
【００１５】
底面部材２の上面にはこれも所定間隔で強化段ボール製の補強材２３・・・（実施例では四個）が取り付けられており、これら補強材２３・・・によって底面部材２が補強される。また、各補強材２３・・・上には柔らかい段ボール製の緩衝材２４がそれぞれ取り付けられている。また、中央二箇所の補強材２３、２３の前後端はフランジ２Ａから少許離間して間隔Ｇが構成されており、この間隔Ｇの両側には位置決め部としての段ボール片２６、２６がそれぞれ取り付けられている（図４）。
【００１６】
また、天面部材３も底面部材２と略同等の寸法を呈しており、周囲にて降下するフランジ３Ａを有している。また、この天面部材３の下面（内面）にも前記補強材２３・・・に対応する位置に同様の強化段ボール製補強材２７・・・が取り付けられ、更に各補強材２７・・・の下面には同様に柔らかい段ボールから成る緩衝材２８が取り付けられている（図３、図４）。また、同様に中央二箇所の補強材２７、２７の前後端の一側に対応する位置にはストッパー部となる段ボール片２９が取り付けられている。
【００１７】
他方、前記側面部材４、６は全体としては図２に示すようなコ字状を呈しており、クーラー１１の両側部を包囲可能な寸法を有している。また、上下寸法は底面部材２上にクーラー１１を載置し、その上から天面部材３を被せた状態で、底面部材２の上面から天面部材３の下面に至る寸法を備えている。また、この側面部材４、６には把手用の孔３１が形成されている。更に、支柱部材７は短冊状を呈しており、その長手方向の寸法は側面部材４、６の上下寸法よりも補強材２７分短い寸法であり、幅寸法は前記段ボール片２６、２６間の間隔Ｇ内に進入可能な値とされている。
【００１８】
以上の構成で、クーラー１１は底面部材２上で組み立てられる。即ち、製造ラインのコンベアー上に先ず底面部材２が載置され、その緩衝材２４・・上にアングル１２が設けられる。そして、このアングル１２に蒸発器１３、送風機１４・・、ケーシング１８、ガード１６・・及びドレンパン１７が順次組み付けられてクーラー１１が完成される。
【００１９】
底面部材２上でクーラー１１の組立が完了したら、次に、左右の側面部材４、６をフランジ２Ａの内側の底面部材２上に差し込んで立て、クーラー１１の左右側部を包囲する。次に、天面部材３をクーラー１１に上から被せる。このとき側面部材４、６はフランジ３Ａの内側に進入してその上端は天面部材３の下面に当接する。また、緩衝材２８がドレンパン１７上面に当接する。
【００２０】
このように天面部材３を被せた後、支柱部材７を取り付ける。その場合、先ず支柱部材７を段ボール片２９が無い側に斜めに傾斜させた状態で、その下端を図５に示すように底面部材２のフランジ２Ａ内側に位置する段ボール片２６、２６間に挿入し（図５中矢印）、間隔Ｇ内に位置させる。その状態で図５に矢印で示す如く下端を中心として支柱部材７を回転させ、上端をフランジ３Ａ内側に挿入していくと、やがて支柱部材７の上端一側が段ボール片２９に当接する。
【００２１】
これによって、支柱部材７の位置決めが成されると共に、各段ボール片２６、２６、２９にて支柱部材７は起立状態で保持されることになる。また、この状態で支柱部材７の下端は底面部材２上面に当接し、上端は天面部材３の補強材２７に当接する。このようにしてクーラー１１の前後に対応する位置に二箇所ずつ合計四本の支柱部材７・・・を取り付ける。尚、このとき強化段ボール製の支柱部材７・・・は、図４に二箇所を破断して示すように、そのライナーＬの方向（段ボール内部の波状紙（ライナーＬ）の波の進行方向に直交する方向）が上下とされる（図４参照）。
【００２２】
上記の如く支柱部材７・・・を取り付けた後、前後の支柱部材７、７に対応する位置（二箇所）にて結束バンド８を底面部材２と天面部材３に掛け渡し、各部材２、３、４、６及び７・・・を結束する。これによって、クーラー１１の包装（簡易包装である）を完了する。
【００２３】
このように包装装置１は、クーラー１１が載置される段ボール製の底面部材２と、この底面部材２上に載置された状態におけるクーラー１１を上から覆う段ボール製の天面部材３と、クーラー１１の両側にそれぞれ位置して底面部材２と天面部材３間に介設された強化段ボール製の側面部材４、６と、クーラー１１の前後で相互に対応する位置において底面部材２と天面部材３間に介設された強化段ボール製の支柱部材７・・・と、前後の支柱部材７、７に対応した位置にて底面部材２と天面部材３とを結束する結束バンド８などから構成されているので、クーラー１１の両側及び前後に位置する強化段ボール製の側面部材４、６及び支柱部材７・・・にてクーラー１１に上から加わる圧縮荷重を支えることができるようになる。
【００２４】
従って、実施例のような強度の低いクーラー１１を梱包状態で段積みする場合にも、クーラー１１のケーシング１８が凹むなどの損傷が生じる危険性を回避することができるようになる。また、結束バンド８は支柱部材７・・・に対応しているので、結束後にも緩み難くなる。そして、結束バンド８以外の各部材２、３、４、６、７・・及び補強材２３、２７や緩衝材２４、２８など全てを段ボール製としているので、再利用が容易であり、環境問題も解消できる。
【００２５】
また、支柱部材７・・・を、ライナーＬの方向が上下となるようにしているので、上下方向に加わる圧縮荷重を支柱部材７・・・により効果的に支えることができるようになる。更に、底面部材２の支柱部材７の両側に対応する位置に設けられた段ボール片２６、２６と、天面部材３の支柱部材７の一側に対応する位置に設けられた段ボール片２９とを備えているので、支柱部材７を段ボール２６、２６と段ボール２９とで保持することができるようになり、万一結束バンド８が緩んだ場合にもズレ難くなる。
【００２６】
また、実施例のように短冊状の支柱部材７はそのままでは起立できない。従って、天面部材３を設けた後に支柱部材７を取り付けることになるが、その場合にも、支柱部材７の一端を段ボール片２６、２６間に挿入し、他端を回動して段ボール片２９に当接させることで所定位置に配置することができ、包装作業性も良好となる。
【００２７】
尚、実施例では段ボール片２６、２６を底面部材２に取り付け、段ボール片２９を天面部材３に取り付けたが、その逆であってもよい。また、実施例ではクーラー１１の包装に本発明を適用したが、それに限らず、種々の機器、特に、重量があって強度の弱い機器の包装に本発明は特に有効である。
【００２８】
【発明の効果】
以上詳述した如く本発明の包装装置によれば、機器が載置される段ボール製の底面部材と、この底面部材上に載置された状態における機器を上から覆う段ボール製の天面部材と、機器の両側にそれぞれ位置して底面部材と天面部材間に介設された強化段ボール製の側面部材と、機器の前後で相互に対応する位置において底面部材と天面部材間に介設された強化段ボール製の支柱部材と、この支柱部材に対応した位置にて底面部材と天面部材とを結束する結束バンドとを備えて構成されているので、機器の両側及び前後に位置する強化段ボール製の側面部材及び支柱部材にて機器に上から加わる圧縮荷重を支えることが可能となる。
【００２９】
これにより、強度の低い機器を梱包状態で段積みする場合にも、機器に損傷が生じる危険性を回避することができる。また、結束バンドは支柱部材に対応しているので、結束後に緩み難くなる。そして、結束バンド以外の各部材を全て段ボール製とすることができるので、再利用が容易であり、環境問題も解消できる。
【００３０】
また、請求項２の発明によれば、上記に加えて支柱部材を、ライナー方向が上下となるようにしているので、上下方向に加わる圧縮荷重を支柱部材により効果的に支えることができるようになる。
【００３１】
更に、請求項３の発明によれば、上記各発明に加えて底面部材と天面部材のうちの何れか一方において、支柱部材の両側に対応する位置に設けられた位置決め部と、他方において当該支柱部材の一側に対応する位置に設けられたストッパー部とを備えているので、支柱部材を位置決め部とストッパー部とで保持することができるようになり、万一結束バンドが緩んだ場合にもズレ難くなる。また、天面部材を設けた後に支柱部材を取り付ける場合にも、一端を位置決め部間に挿入し、他端を回動してストッパー部に当接させることで所定位置に配置することができ、包装作業性も良好となる。
【図面の簡単な説明】
【図１】本発明の実施例の包装装置により機器の例であるクーラーを包装した状態の斜視図である。
【図２】図１の分解斜視図である。
【図３】図１の縦断面図である。
【図４】図１の支柱部材部分の拡大斜視図である。
【図５】図４の支柱部材の取付手順を示す図である。
【符号の説明】
１  包装装置
２  底面部材
３  天面部材
４、６  側面部材
７  支柱部材
８  結束バンド
１１  クーラー
２１  ゲタ材
２２  底板
２３、２７  補強材
２４、２８  緩衝材
２６、２９  段ボール片
【図１】
2004256129.tif 000003
【図２】
2004256129.tif 000004
【図３】
2004256129.tif 000005
【図４】
2004256129.tif 000006
【図５】
2004256129.tif 000007